(57)【要約】      （修正有）【課題】セーラー服の着用者が屈んだ際に、スカートと後身頃との間から下着などが見えてしまうことを防止するセーラー服を提供する。【解決手段】後身頃１１と前身頃２１とセーラー襟３１とを備えたセーラー服において、隠蔽用のフラップ４１が、後身頃１１の下端から下方に延設されている。フラップ４１は、後身頃１１に対して折り返し可能に設けられ、フラップ４１を折り返して後身頃１１の表地１３の裏側に沿わせた状態と、フラップ４１を後身頃１１から下方に伸ばした状態とを、選択して着用することができる。【選択図】図１
0003191996.tif 000002
【実用新案登録請求の範囲】
【請求項１】
前身頃と後身頃とセーラー襟とを備えたセーラー服において、
隠蔽用のフラップが、後身頃の下端から下方に延設され、
着用者が屈んだ際に、スカートと後身頃との間を、前記フラップによって隠すことができるようにしたことを特徴とするセーラー服。
【請求項２】
前記フラップは、前記後身頃に対して折り返し可能に設けられ、
前記フラップを折り返して前記後身頃の表地の裏側に沿わせた状態と、前記フラップを前記後身頃から下方に伸ばした状態とを、選択して着用することができることを特徴とする請求項１記載のセーラー服。
【請求項３】
前記後身頃は前記表地と裏地とを備え、
前記裏地の下端は前記表地に対して縫着されておらず、前記フラップを折り返して、前記表地と前記裏地との間に配置して着用することができることを特徴とする請求項２記載のセーラー服。
【請求項４】
前記フラップは、前記前身頃の左右両側に達している前フラップ部を、その左右両端に備え、
前記前フラップ部は前記前身頃の中央には達していないことを特徴とする請求項１〜３の何れかに記載のセーラー服。
【考案の詳細な説明】
【技術分野】
【０００１】
本考案は、前身頃と後身頃とセーラー襟とを備えた、学生が着用するためのセーラー服の改良に関する。
【背景技術】
【０００２】
セーラー服は、一般に着用される他、女子学生の制服として多数採用されているが、その特徴の一つとして大きなセーラー襟を備えた点が挙げられるが、他の一つの特徴として着丈が短いという点も挙げられる。特許文献１や２に示されるようにセーラー服の改良は種々提案されているが、着心地の改良やセーラー襟に関する改良であり、着丈に関する改良は提案されていない。
【０００３】
このようにセーラー服は着丈が短いため、前屈みになったとき、図３（Ａ）に示すように、後身頃１１とスカートｓとの間が開いてしまい下着などが見えてしまうという課題がある。特に、思春期の女性にとって、この課題は、意識的にあるいは無意識に、着用者の行動を制約することにもなりかねない。
【先行技術文献】
【特許文献】
【０００４】
【特許文献１】登録実用新案第３１８１７２３号公報
【特許文献２】特開２０１２−７７４１０号公報
【考案の概要】
【考案が解決しようとする課題】
【０００５】
本考案は、セーラー服の身頃の丈がブレザーなどよりも身頃の丈よりも短いため、着用者が屈んだ際に、スカートと後身頃との間から下着などが見えてしまうことがあるという課題を解決せんとするものである。
【課題を解決するための手段】
【０００６】
本考案は、隠蔽用のフラップを、セーラー服の後身頃の下端から下方に延設することによって、上記の課題を解決する。これによって、着用者が屈んだ際に、スカートと後身頃との間を、前記フラップによって隠すことができる。
前記フラップは、前記後身頃に対して折り返し可能に設けることが望ましい。これによって、前記フラップを折り返して前記後身頃の表地の裏側に沿わせた状態と、前記フラップを前記後身頃から下方に伸ばした状態とを、選択して着用することができる。
【０００７】
前記後身頃を、前記表地と裏地とを備えたものとすると共に、前記裏地の下端が前記表地に対して縫着しないものとする。これによって、前記フラップを折り返して、前記表地と前記裏地との間に配置して着用することができ、前記フラップを折り返して着用する際の不自然さを抑制することができる。
【０００８】
また、前記フラップは、その左右両端が前記前身頃の左右両側に達しているようにすることも望ましい。これによって、前記フラップを折り返して着用する際にも、下方に伸ばして着用する際にも、前記フラップの形態が安定すると共に、前記フラップによって着用者の脇腹をも隠蔽することができる。しかも、前記フラップの左右両端が、前記前身頃の中央には達していないものとすることによって、前記前身頃の自然な着用感を大きく損なうこともない。
【考案の効果】
【０００９】
本考案は、セーラー服の着用者が屈んだ際に、スカートと後身頃との間から下着などが見えてしまうことを抑制することができたセーラー服を提供することができたものである。
【図面の簡単な説明】
【００１０】
【図１】本考案の実施の形態に係るセーラー服について、フラップを下方に伸ばした状態を示すもので、（Ａ）は背面図、（Ｂ）は要部断面図、（Ｃ）は正面図である。
【図２】本考案の実施の形態に係るセーラー服について、フラップを折り返した状態を示すもので、（Ａ）は背面図、（Ｂ）は要部断面図、（Ｃ）は正面図である。
【図３】（Ａ）は従来のセーラー服の後からみた斜視図、（Ａ）は本考案の実施の形態に係るセーラー服についてフラップをスカートの下に入れた状態の後からみた斜視図、（Ｂ）は本考案の実施の形態に係るセーラー服についてフラップをスカートの上に出した状態の後からみた斜視図である。
【考案を実施するための形態】
【００１１】
以下、図面に基づき本考案の実施の形態を説明する。
この実施の形態に係るセーラー服は、前身頃２１と後身頃１１とセーラー襟３１とを備えたもので、主として学生が通学用に着用するものであるが、特にその用途はこれに限るものではない。また、図の例では長袖のセーラー服としているが、半袖であってもよい。
前身頃２１と後身頃１１は、一般的な通学用のセーラー服と実質的に同一であり、丈がブレザーなどに比して短く設定されている。
【００１２】
（フラップ４１について）
本考案の独自の構成は、後身頃１１の下端１２から、下方に伸びるフラップ４１が形成されている点にある。フラップ４１は、着用者が屈んだ際に、スカートｓ（図３のみに図示）と後身頃１１の下端１２との間隔が開いてしまって下着などが見えることを防ぐためのもので、その上下幅を10〜20ｃｍとするのが適当である。フラップ４１の左右両端は後身頃１１の領域のみをカバーするものであってもよいが、この例では前身頃２１の左右両側の領域をもカバーするために前フラップ部４３が左右両端に延設されている。これによって、脇腹についても隠蔽することができると共に、着用状態の如何に関わらずフラップ４１の形態が安定する。また、フラップ４１を前後の身頃の全周に渡って設けることも可能であるが、その場合には身体の動きが悪くなったり、特に前身頃２１の自然な着用感や外観を損なうおそれがあるため、前身頃２１の中央部２３についてはフラップ４１が設けられていない。
この前フラップ部４３を含むフラップ４１は、その上端が後身頃１１の下端１２及び前身頃２１の下端２２に縫着されている。
【００１３】
（着用状態について）
このセーラー服を着用するに際しては、フラップ４１を下方に垂らした状態（図１の状態）と、上方に折り返した状態（図２の状態）との２通りの状態を選択することができる。
【００１４】
（図１の状態）
図１の状態では、フラップ４１をスカートの中に入れて着用するなどすれば、立ったり歩いたり座ったりしている際には後身頃１１及び前身頃２１のみが外から見えるに止まり、通常のセーラー服と外観上大差はない。ところが、着用者が前屈みになった際には、図３（Ｂ）（Ｃ）に示すように、後身頃１１の下端１２とスカートｓとの間隔が広がるが、フラップ４１の存在によって、下着などが見えることを抑制することができる。
【００１５】
（図２の状態）
図１から図２の状態にするには、フラップ４１（前フラップ部４３を含む）を後身頃１１の下端１２及び前身頃２１の下端２２から上方に折り返して、後身頃１１及び前身頃２１の裏側に沿わせばよい。ここで、後身頃１１及び前身頃２１に裏地が設けられている場合には、裏地の裏側（裏地と身体との間）に配置することもできるが、この例では、表地１３と裏地１４との間に挟み込むように配置することができるようになっている。詳しくは、裏地１４を上裏地１５と下裏地１６とによって構成する。上裏地１５の下端及び下裏地１６の上端は、表地１３に縫着されているが、下裏地１６の下端は縫着されていない。そのため、下裏地１６の下端と後身頃１１の下端１２（前身頃２１の下端２２）との間は開放されており、折り返したフラップ４１（前フラップ部４３を含む）を表地１３と下裏地１６との間に収納することができる。これによって、折り返した状態では、通常のセーラー服と遜色のない着用感を得ることができる。
【００１６】
なお、フラップ４１を下に垂らした状態では、フラップ４１（前フラップ部４３を含む）によって身体の動きが窮屈になるおそれがあるため、フラップ４１の後身頃側の中央にスリット４２を形成することも好ましい。この例では、スリット４２は中央の１箇所に設けられているが、複数箇所に設けてよい。また、フラップ４１（前フラップ部４３を含む）を複数のシートに分断して設けることも可能である。
【００１７】
また、上に折り返した状態を維持するために、フラップ４１に係止具４４を設けると共に、これに係合する係止具１７を後身頃１１に設けるようにしてもよい。この係止具４４と係止具１７としては、雌雄嵌合のホックや面ファスナやボタン及びボタンホールなどを採用することができる。図の例では、スリット４２の両側に設けたが、この位置や個数は適宜変更して実施することができる。
【００１８】
（フラップ４１の素材について）
フラップ４１は、布や不織布やメッシュ地などの柔軟性のある素材を選択して用いることができる。たとえばフラップ４１を表地１３と同様の素材とすることもできるが、軽くて軽量な裏地１４と同様の素材を用いることも好ましい。また、スカートｓの下に入れて着用する場合には、表地１３及び裏地１４よりも伸縮性の高い素材を用いることも好ましい。
【００１９】
（変更例）
上記の例では、フラップ４１（前フラップ部４３を含む）を後身頃１１の下端１２や前身頃２１の下端２２に縫着したが、下端１２や下端２２から少し（２〜４ｃｍ程度）上方の位置に縫着してもよく、上裏地１５及び下裏地１６の縫着位置に縫着することもできる。また、フラップ４１（前フラップ部４３を含む）を表地１３に縫着することもできる。さらに、下裏地１６を表地１３よりも下方に長く延設して、下裏地１６をフラップ４１として利用するようにしてもよい。この場合には、上方に折り畳んだ状態では、下裏地１６の下方に伸びる部分を、二つ折りにして表地１３の裏側に収納することになる。
【符号の説明】
【００２０】
１１  後身頃
１２  下端
１３  表地
１４  裏地
１５  上裏地
１６  下裏地
１７  係止具
２１  前身頃
２２  下端
２３  中央部
３１  セーラー襟
４１  フラップ
４２  スリット
４３  前フラップ部
４４  係止具
【図１】
0003191996.tif 000003
【図２】
0003191996.tif 000004
【図３】
0003191996.tif 000005